(57)【要約】【課題】ランクアダプテーション制御において、所望の伝送特性の実現確率を向上させる。【解決手段】本発明に係る無線基地局ｅＮＢは、移動局ＵＥから、移動局ＵＥによって決定されたストリーム数を示す「ＲＩ」を取得するＲＩ取得部１１と、移動局ＵＥに固有のオフセット値「ＲＩ  ｏｆｆｓｅｔ」を用いて、ＲＩ取得部１１によって取得された「ＲＩ」を調整する調整部１２と、調整部１２によって調整されたＲＩに基づいて、移動局ＵＥに対して同時に伝送するストリーム数を決定するストリーム数決定部１３とを具備する。【選択図】図２
2010148004.tif 000002
【特許請求の範囲】
【請求項１】
下りデータチャネルにおいて移動局に対して複数のアンテナを用いて複数の異なるストリームを同時に伝送するＭＩＭＯ多重伝送を行うように構成されている無線基地局であって、
前記移動局から、該移動局によって決定されたストリーム数を示すランクインディケータを取得するように構成されているランクインディケータ取得部と、
前記移動局に固有のオフセット値を用いて、前記ランクインディケータ取得部によって取得された前記ランクインディケータを調整するように構成されているランクインディケータ調整部と、
前記ランクインディケータ調整部によって調整された前記ランクインディケータに基づいて、前記移動局に対して同時に伝送するストリーム数を決定するように構成されているストリーム数決定部とを具備することを特徴とする無線基地局。
【請求項２】
前記ランクインディケータ調整部は、前記移動局における前記ストリームの受信結果に応じて、該移動局に固有のオフセット値を調整するように構成されていることを特徴とする請求項１に記載の無線基地局。
【請求項３】
前記ランクインディケータ調整部は、上りチャネルを用いて通知される下りデータチャネルに対するＡＣＫ／ＮＡＣＫ信号に基づいて算出される該下りデータチャネルにおける受信誤り率に応じて、前記ランクインディケータを調整するように構成されていることを特徴とする請求項１に記載の無線基地局。
【請求項４】
前記移動局から、前記ストリームを伝送する下りデータチャネルにおける受信品質情報を取得するように構成されている受信品質情報取得部と、
前記受信誤り率に応じて、前記受信品質情報を調整するように構成されている受信品質情報調整部と、
前記受信品質情報調整部によって調整された前記受信品質情報に基づいて、前記下りデータチャネルにおいて、使用する変調方式及び所定無線リソースで伝送可能なビット数を決定するように構成されている決定部とを具備することを特徴とする請求項３に記載の無線基地局。
【発明の詳細な説明】
【技術分野】
【０００１】
本発明は、下りリンクデータチャネルにおいて移動局に対して複数のアンテナを用いて複数のストリームを同時に伝送するＭＩＭＯ多重伝送を行うように構成されている無線基地局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、無線基地局ｅＮＢは、移動局ＵＥに対して、複数のアンテナを用いて複数の異なるストリーム（データ系列）を同時に伝送するＭＩＭＯ（Ｍｕｌｔｉ  Ｉｎｐｕｔ  Ｍｕｌｔｉ  Ｏｕｔｐｕ）多重伝送を行うように構成されている。
【０００３】
ＭＩＭＯ多重伝送は、各アンテナと移動局ＵＥとの間の無線伝送路の相関（フェージング相関）が高くなると、伝送特性（受信誤り率）が劣化するという特徴を有する。
【０００４】
また、ＭＩＭＯ多重伝送は、移動局ＵＥに対して同時に伝送するストリーム数を少なくすると、下りリンクにおいて、伝送速度は低下するが、伝送特性は向上するという特徴を有する。
【０００５】
したがって、ＬＴＥ方式の移動通信システムでは、上述のＭＩＭＯ多重伝送における特徴を考慮して、無線基地局ｅＮＢは、移動局ＵＥによって推定された無線伝搬路の「ランク（Ｒａｎｋ）」を示す「ＲＩ（Ｒａｎｋ  Ｉｎｄｉｃａｔｏｒ、ランクインディケータ）」に基づいて、当該移動局ＵＥに対して同時に伝送するストリーム数を制御する「ランクアダプテーション（Ｒａｎｋ  Ａｄａｐｔａｔｉｏｎ）制御」を適用するように構成されている。
【０００６】
ここで、「ランク」は、フェージング相関や受信ＳＩＲ（Ｓｉｇｎａｌ  Ｔｏ  Ｉｎｔｅｒｆｅｒｅｎｃｅ  Ｒａｔｉｏ）の測定値に基づいて移動局ＵＥによって算出されるものであり、最大のスループットを実現可能であると推定されたストリーム数である。
【非特許文献１】３ＧＰＰ  ＴＳ３６.２１３
【発明の開示】
【発明が解決しようとする課題】
【０００７】
しかしながら、上述のランクアダプテーション制御では、移動局ＵＥにおけるフェージング相関や受信ＳＩＲといった無線伝搬路状態の測定誤差によって、所望の伝送特性を実現することができない場合があるという問題点があった。
【０００８】
そこで、本発明は、上述の課題に鑑みてなされたものであり、ランクアダプテーション制御において、所望の伝送特性の実現確率を向上させることができる無線基地局を提供することを目的とする。
【課題を解決するための手段】
【０００９】
本発明の第１の特徴は、下りリンクデータチャネルにおいて移動局に対して複数のアンテナを用いて複数の異なるストリームを同時に伝送するＭＩＭＯ多重伝送を行うように構成されている無線基地局であって、前記移動局から、該移動局によって決定されたストリーム数を示すランクインディケータを取得するように構成されているランクインディケータ取得部と、前記移動局に固有のオフセット値を用いて、前記ランクインディケータ取得部によって取得された前記ランクインディケータを調整するように構成されているランクインディケータ調整部と、前記ランクインディケータ調整部によって調整された前記ランクインディケータに基づいて、前記移動局に対して同時に伝送するストリーム数を決定するように構成されているストリーム数決定部とを具備することを要旨とする。
【発明の効果】
【００１０】
以上説明したように、本発明によれば、ランクアダプテーション制御において、所望の伝送特性の実現確率を向上させることができる無線基地局を提供することができる。
【発明を実施するための最良の形態】
【００１１】
（本発明の第１の実施形態に係る移動通信システムの構成）
図１及び図２を参照して、本発明の第１の実施形態に係る移動通信システムの構成について説明する。
【００１２】
図１に示すように、本実施形態に係る移動通信システムは、ＬＴＥ方式が適用されている移動通信システムであり、無線基地局ｅＮＢと、移動局ＵＥとを具備している。
【００１３】
ここで、無線基地局ｅＮＢは、移動局ＵＥに対して、複数のアンテナを用いて複数の異なるストリーム（データ系列）＃１乃至＃ｎを同時に伝送するＭＩＭＯ多重伝送を行うように構成されている。
【００１４】
図２に示すように、無線基地局ｅＮＢは、ＲＩ取得部１１と、調整部１２と、ストリーム数決定部１３と、送信部１４とを具備している。
【００１５】
ＲＩ取得部１１は、所定タイミングで、移動局ＵＥから、移動局ＵＥによって決定されたストリーム数を示す「ＲＩ（ランクインディケータ）」を取得するように構成されている。例えば、ＲＩ取得部１１は、定期的に、移動局ＵＥからＲＩを取得してもよいし、所定トリガの発生時に、移動局ＵＥからＲＩを取得してもよい。
【００１６】
調整部１２は、移動局ＵＥに固有のオフセット値「ＲＩ  ｏｆｆｓｅｔ」を用いて、ＲＩ取得部１１によって取得された「ＲＩ」を調整するように構成されている。
【００１７】
すなわち、調整部１２は、オフセット値「ＲＩ  ｏｆｆｓｅｔ」を用いて、ＲＩの調整値「ＲＩＡｄｊｕｓｔｅｄ」を算出するように構成されている。
【００１８】
具体的には、調整部１２は、（式１）によって、ＲＩの調整値「ＲＩＡｄｊｕｓｔｅｄ」を算出するように構成されている。
【００１９】
ＲＩＡｄｊｕｓｔｅｄ  ＝  ＲＩ  ＋  ＲＩ  ｏｆｆｓｅｔ  …  （式１）
ここで、調整部１２は、移動局ＵＥにおけるストリームの受信結果に応じて、オフセット値「ＲＩ  ｏｆｆｓｅｔ」を調整するように構成されていてもよい。
【００２０】
具体的には、調整部１２は、（式２）によって、オフセット値「ＲＩ  ｏｆｆｓｅｔ」を調整するように構成されている。
【数１】
2010148004.tif 000003
【００２１】
すなわち、調整部１２は、移動局ＵＥにおいてストリームの受信に成功した場合（移動局ＵＥからＡＣＫを受信した場合）、オフセット値「ＲＩ  ｏｆｆｓｅｔ」を「Δ」だけ増加させ、移動局ＵＥにおいてストリームの受信に失敗した場合（移動局ＵＥからＮＡＣＫを受信した場合）、オフセット値「ＲＩ  ｏｆｆｓｅｔ」を「Δ」だけ減少させるように構成されていてもよい。
【００２２】
ここで、オフセット値「ＲＩ  ｏｆｆｓｅｔ」の増加幅「Δ」と、オフセット値「ＲＩ  ｏｆｆｓｅｔ」の減少幅「Δ」とは異なる値であってもよい。
【００２３】
ストリーム数決定部１３は、調整部１２によって調整されたＲＩ、すなわち、調整部１２によって算出された「ＲＩＡｄｊｕｓｔｅｄ」に基づいて、移動局ＵＥに対して同時に伝送するストリーム数を決定するように構成されている。
【００２４】
例えば、ストリーム数決定部１３は、「ＲＩＡｄｊｕｓｔｅｄ」によって示されているストリーム数を、移動局ＵＥに対して同時に伝送するストリーム数とするように構成されている。
【００２５】
送信部１４は、ストリーム数決定部１３によって決定された数のストリームを移動局ＵＥに対して送信するように構成されている。
【００２６】
例えば、送信部１４は、物理下り共有チャネルＰＤＳＣＨ（Ｐｈｙｓｉｄｃａｌ  Ｄｏｗｎｌｉｎｋ  Ｓｈａｒｅｄ  Ｃｈａｎｎｅｌ、下りデータチャネル）を介して、かかるストリームを送信するように構成されていてもよい。
【００２７】
（本発明の第１の実施形態に係る移動通信システムの動作）
図３を参照して、本発明の第１の実施形態に係る移動通信システムにおける無線基地局ｅＮＢの動作について説明する。
【００２８】
図３に示すように、ステップＳ１０１において、ＲＩ取得部１１が、所定タイミングで、移動局ＵＥから、ＲＩを取得する。
【００２９】
ステップＳ１０２において、調整部１２が、移動局ＵＥに固有のオフセット値「ＲＩ  ｏｆｆｓｅｔ」を用いて、ＲＩの調整値「ＲＩＡｄｊｕｓｔｅｄ」を算出する。ここで、オフセット値「ＲＩ  ｏｆｆｓｅｔ」は、移動局ＵＥによるストリームの受信結果に応じて更新されているものとする。
【００３０】
ステップＳ１０３において、ストリーム数決定部１３は、調整部１２によって算出された「ＲＩＡｄｊｕｓｔｅｄ」に基づいて、移動局ＵＥに対して同時に伝送するストリーム数を決定する。
【００３１】
ステップＳ１０４において、送信部１４は、ストリーム数決定部１３によって決定された数のストリームを移動局ＵＥに対して送信する。
【００３２】
（本発明の第１の実施形態に係る移動通信システムの作用・効果）
本発明の第１の実施形態に係る移動通信システムで用いられる無線基地局ｅＮＢによれば、移動局ＵＥにおけるストリームの受信結果が反映されたオフセット値「ＲＩ  ｏｆｆｓｅｔ」を用いて、移動局ＵＥから取得したＲＩを調整するように構成されているため、移動局ＵＥにおける無線伝搬路状態の測定誤差に起因するランクアダプテーション制御における所望の伝送特性の劣化を低減することができる。
【００３３】
（本発明の第２の実施形態に係る移動通信システムの構成）
図４乃至図６を参照して、本発明の第２の実施形態に係る移動通信システムの構成について説明する。以下、本実施形態に係る移動通信システムの構成について、上述の第１の実施形態に係る移動通信システムの構成との相違点に着目して説明する。
【００３４】
図４に示すように、無線基地局ｅＮＢは、上述の第１の実施形態に係る無線基地局ｅＮＢの構成に加えて、ＣＱＩ取得部２１と、受信誤り率測定部２２と、ＴＢＳ・変調方式決定部２３とを具備している。
【００３５】
ＣＱＩ取得部２１は、移動局ＵＥから、ストリームを伝送する下りデータチャネル（例えば、ＰＤＳＣＨ）における受信品質情報（例えば、ＣＱＩ）を取得するように構成されている。
【００３６】
受信誤り率測定部２２は、移動局ＵＥ用の上りチャネルを用いて通知される下りデータチャネルに対するＡＣＫ／ＮＡＣＫ信号に基づいて算出される下りデータチャネルにおける受信誤り率（例えば、ＢＬＥＲ）を測定するように構成されている。
【００３７】
ここで、例えば、移動局ＵＥ用の上りチャネルとしては、物理上りリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ、上り制御チャネル）や、物理上りリンク共有チャネルＰＵＳＣＨ（Ｐｈｙｓｉｃａｌ  Ｕｐｌｉｎｋ  Ｓｈａｒｅｄ  Ｃｈａｎｎｅｌ、上りデータチャネル）等が想定される。
【００３８】
ここで、調整部１２は、移動局ＵＥ用の下りデータチャネルにおける受信誤り率に応じて、ＲＩ取得部１１によって取得されたＲＩ及びＣＱＩ取得部２１によって取得されたＣＱＩを調整するように構成されている。
【００３９】
すなわち、調整部１２は、移動局ＵＥ用の下りデータチャネルにおける受信誤り率に応じて、ＲＩの調整値「ＲＩＡｄｊｕｓｔｅｄ」及びＣＱＩの調整値「ＣＱＩＡｄｊｕｓｔｅｄ」を算出するように構成されている。
【００４０】
例えば、図５に示すように、調整部１２は、受信誤り率が所定閾値よりも大きい場合、矢印Ａの方向に、ＲＩ及びＣＱＩを変更していき、受信誤り率が所定閾値よりも小さい場合、矢印Ｂの方向に、ＲＩ及びＣＱＩを変更していくように構成されている。
【００４１】
ＴＢＳ・変調方式決定部２３は、調整部１２によって調整された受信品質情報、すなわち、ＣＱＩの調整値「ＣＱＩＡｄｊｕｓｔｅｄ」に基づいて、下りデータチャネル（例えば、ＰＤＳＣＨ）において、使用する変調方式及び所定無線リソース（例えば、１リソースブロック）で伝送可能なビット数を示すトランスポートブロックサイズ（ＴＢＳ）を決定するように構成されている。
【００４２】
ここで、リソースブロックとは、時間方向及び周波数方向の二次元平面で定義されるＰＤＳＣＨに対する無線リソースの最小割り当て単位であり、具体的には、７個のＯＤＦＭシンボル及び１２個のサブチャネルによって構成されている。
【００４３】
具体的には、図６に示すように、ＴＢＳ・変調方式決定部２３は、「ＣＱＩ」と「ＴＢＳ」と「変調方式」とを関連付けて管理しており、調整部１２によって調整されたＣＱＩの調整値「ＣＱＩＡｄｊｕｓｔｅｄ」に対応する「ＴＢＳ」及び「変調方式」を、下りデータチャネルにおいて、使用する変調方式及びＴＢＳとするように構成されていてもよい。
【００４４】
（本発明の第２の実施形態に係る移動通信システムの動作）
図７を参照して、本発明の第２の実施形態に係る移動通信システムにおける無線基地局ｅＮＢの動作について説明する。
【００４５】
図７に示すように、ステップＳ２０１において、所定タイミングで、ＲＩ取得部１１が、移動局ＵＥからＲＩを取得し、ＣＱＩ取得部２１が、移動局ＵＥからＣＱＩを取得する。
【００４６】
ステップＳ２０２において、調整部１２が、移動局ＵＥ用の下りデータチャネルにおける受信誤り率に応じて、図５に示すように、ＲＩの調整値「ＲＩＡｄｊｕｓｔｅｄ」及びＣＱＩの調整値「ＣＱＩＡｄｊｕｓｔｅｄ」を算出する。
【００４７】
ステップＳ２０３において、ストリーム数決定部１３が、調整部１２によって算出された「ＲＩＡｄｊｕｓｔｅｄ」に基づいて、移動局ＵＥに対して同時に伝送するストリーム数を決定し、ＴＢＳ・変調方式決定部２３が、調整部１２によって算出されたＣＱＩの調整値「ＣＱＩＡｄｊｕｓｔｅｄ」に基づいて、下りデータチャネル（例えば、ＰＤＳＣＨ）において、使用する変調方式及びＴＢＳを決定する。
【００４８】
ステップＳ２０４において、送信部１４は、ストリーム数決定部１３によって決定された数のストリームを、ＴＢＳ・変調方式決定部２３によって決定された変調方式及びＴＢＳが適用されている下りデータチャネルを介して、移動局ＵＥに対して送信する。
【００４９】
（本発明の第２の実施形態に係る移動通信システムの作用・効果）
本発明の第２の実施形態に係る移動通信システムで用いられる無線基地局ｅＮＢによれば、移動局ＵＥ用の下りデータチャネルにおける受信誤り率に応じて、移動局ＵＥから取得したＲＩを調整するように構成されているため、移動局ＵＥにおける無線伝搬路状態の測定誤差に起因するランクアダプテーション制御における所望の伝送特性の劣化を低減することができる。
【００５０】
また、本発明の第２の実施形態に係る移動通信システムで用いられる無線基地局ｅＮＢによれば、移動局ＵＥ用の上りチャネルにおける受信誤り率に応じて、移動局ＵＥから取得したＲＩに加えてＣＱＩを調整するように構成されているため、移動局ＵＥによるＣＱＩの測定精度のばらつきを吸収して、適切な変調方式及びＴＢＳを選択することができる。
【００５１】
以上に述べた本実施形態の特徴は、以下のように表現されていてもよい。
【００５２】
本実施形態の第１の特徴は、下りデータチャネル（例えば、ＰＤＳＣＨ）において移動局ＵＥに対して複数のアンテナを用いて複数の異なるストリーム（データ系列）を同時に伝送するＭＩＭＯ多重伝送を行うように構成されている無線基地局ｅＮＢであって、移動局ＵＥから、移動局ＵＥによって決定されたストリーム数を示す「ＲＩ（ランクインディケータ）」を取得するように構成されているＲＩ取得部１１と、移動局ＵＥに固有のオフセット値「ＲＩ  ｏｆｆｓｅｔ」を用いて、ＲＩ取得部１１によって取得された「ＲＩ」を調整する（すなわち、ＲＩの調整値「ＲＩＡｄｊｕｓｔｅｄ」を算出する）ように構成されている調整部１２と、調整部１２によって調整されたＲＩ、すなわち、調整部１２によって算出された「ＲＩＡｄｊｕｓｔｅｄ」に基づいて、移動局ＵＥに対して同時に伝送するストリーム数を決定するように構成されているストリーム数決定部１３とを具備することを要旨とする。
【００５３】
本実施形態の第１の特徴において、調整部１２は、移動局ＵＥにおけるストリームの受信結果に応じて、移動局ＵＥに固有のオフセット値「ＲＩ  ｏｆｆｓｅｔ」を調整するように構成されていてもよい。
【００５４】
本実施形態の第１の特徴において、調整部１２は、上りチャネル（例えば、ＰＵＣＣＣＨ又はＰＵＳＣＨ）を用いて通知される下りデータチャネル（例えば、ＰＤＳＣＨ）に対するＡＣＫ／ＮＡＣＫ信号に基づいて算出される該下りデータチャネル（ＰＤＳＣＨ）における受信誤り率（例えば、ＢＬＥＲ）に応じて、ＲＩを調整する（すなわち、「ＲＩＡｄｊｕｓｔｅｄ」を算出する）ように構成されていてもよい。
【００５５】
本実施形態の第１の特徴において、移動局ＵＥから、ストリームを伝送する下りデータチャネル（例えば、ＰＤＳＣＨ）における受信品質情報（例えば、ＣＱＩ）を取得するように構成されているＣＱＩ取得部２１と、受信誤り率に応じて、受信品質情報を調整するように構成されている調整部１２と、調整部１２によって調整された受信品質情報に基づいて、下りデータチャネルにおいて、使用する変調方式及び所定無線リソース（例えば、１リソースブロック）で伝送可能なビット数（例えば、ＴＢＳ）を決定するように構成されているＴＢＳ・変調方式決定部２３とを具備してもよい。
【００５６】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６０】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局の動作について示すフローチャートである。
【図４】本発明の第２の実施形態に係る無線基地局の機能ブロック図である。
【図５】本発明の第２の実施形態に係る無線基地局がＣＱＩを調整する動作について示すフローチャートである。
【図６】本発明の第２の実施形態に係る無線基地局において管理されている「ＣＱＩ」と「ＴＢＳ」と「変調方式」の対応関係の一例を示す図である。
【図７】本発明の第２の実施形態に係る無線基地局の動作について示すフローチャートである。
【符号の説明】
【００６１】
ｅＮＢ…無線基地局
１１…ＲＩ取得部
１２…調整部
１３…ストリーム数決定部
１４…送信部
２１…ＣＱＩ取得部
２２…受信誤り率測定部
２３…ＴＢＳ・変調方式決定部
【図１】
2010148004.tif 000004
【図２】
2010148004.tif 000005
【図３】
2010148004.tif 000006
【図４】
2010148004.tif 000007
【図５】
2010148004.tif 000008
【図６】
2010148004.tif 000009
【図７】
2010148004.tif 000010